(57)【要約】【課題】使用者が熱い思いをしたり、火傷を負うようなことがなく、かつ巻胴への毛髪の巻き付け操作の容易なくし付きヘアアイロンを提供する。【解決手段】くし付きヘアアイロンが、一対の半円筒状の棒状部材を平坦面を対向させて互いに並列させ、一端側が開閉するように他端側を枢着した本体部と、一対の前記棒状部材の一端側の平坦面に互いに対向するように配置されたプレート状の第１の発熱部と、一対の前記棒状部材の一端側の外周面に周方向に所定の間隔をあけて配置され、前記棒状部材の軸方向に延びる第２の発熱部と、前記第２の発熱部の間隙に設けられ、半径方向外側にのびる熱不良導体からなる複数のくし歯を有するくし歯部と、とを備える。【選択図】図１０
2014061404.tif 000002
【特許請求の範囲】
【請求項１】
一対の半円筒状の棒状部材を平坦面を対向させて互いに並列させ、一端側が開閉するように他端側を枢着した本体部と、
一対の前記棒状部材の一端側の平坦面に互いに対向するように配置されたプレート状の第１の発熱部と、
一対の前記棒状部材の一端側の外周面に周方向に所定の間隔をあけて配置され、前記棒状部材の軸方向に延びる第２の発熱部と、
前記第２の発熱部の間隙に設けられ、半径方向外側にのびる熱不良導体からなる複数のくし歯を有するくし歯部と、
を備えることを特徴とするくし付きヘアアイロン。
【請求項２】
前記くし歯部が、板状の基部を有し、前記複数のくし歯は、前記基部の長手方向に所定の間隔をあけて当該基部の表面から突設されることを特徴とする請求項１に記載のくし付きヘアアイロン。
【請求項３】
前記くし歯部は、前記基部が前記第２の発熱部の間隙に挿入されて、設けられることを特徴とする請求項２に記載のくし付きヘアアイロン
【請求項４】
前記第１及び第２の発熱部の少なくとも一方が金属またはセラミックスで形成されることを特徴とする請求項１ないし３のいずれか１項に記載のくし付きヘアアイロン。
【請求項５】
前記棒状部材に設けられる放電電極と、
前記放電電極に高電圧を印加する高電圧発生部と、
をさらに備えることを特徴とする請求項１ないし４のいずれか１項に記載のくし付きヘアアイロン。
【発明の詳細な説明】
【技術分野】
【０００１】
本発明は、毛髪にカールなどの癖付けを行うためのヘアアイロンに関する。
【背景技術】
【０００２】
従来から、ヒータを備えたセラミックスなどの熱良導体からなる巻胴の外周面に毛髪を巻きつけることで、毛髪にカールなどの癖付けを行うためのヘアアイロンが知られている。このようなヘアアイロンでは、毛髪を巻きつける際に、熱良導体と首筋の皮膚などが接触して使用者が熱い思いをしたり、火傷を負ってしまうおそれがあった。このような問題を解決するために、巻胴の外周に熱不良導体からなる螺旋状の毛髪ガイドを巻回して首筋の皮膚が直接巻胴に接触しないようにしたヘアアイロンが知られている（例えば、特許文献１参照）。
しかし、このような巻胴上に螺旋状に巻回した毛髪ガイドでは、毛髪の量が多かったり長かったりした場合には、毛髪が巻胴に巻きつきにくくカールなどの癖付けに時間がかかったり、何度も癖付け動作を繰り返さなければならないため毛髪が傷んでしまうおそれがあった。
【先行技術文献】
【特許文献】
【０００３】
【特許文献１】特開平１１−１２７９４１号公報
【発明の概要】
【発明が解決しようとする課題】
【０００４】
本発明は、上記のような事情に対処してなされたもので、使用者が熱い思いをしたり、火傷を負うようなことがなく、かつ巻胴への毛髪の巻き付け操作の容易なヘアアイロンを提供することを目的とする。
【課題を解決するための手段】
【０００５】
本発明の一実施形態のくし付きヘアアイロンは、一対の半円筒状の棒状部材を平坦面を対向させて互いに並列させ、一端側が開閉するように他端側を枢着した本体部と、一対の前記棒状部材の一端側の平坦面に互いに対向するように配置されたプレート状の第１の発熱部と、一対の前記棒状部材の一端側の外周面に周方向に所定の間隔をあけて配置され、前記棒状部材の軸方向に延びる第２の発熱部と、前記第２の発熱部の間隙に設けられ、半径方向外側にのびる熱不良導体からなる複数のくし歯を有するくし歯部と、を備えることを特徴とする。
【０００６】
棒状の支持部材は、使用者が操作中熱く感じないように、熱不良導体で、かつ、耐熱性の良好な樹脂材料製とすることが好ましい。また、巻胴部は、熱良導体のセラミックス製とし、断面円形状又は楕円形状とすることが好ましい。
【０００７】
また、本発明の他の実施形態のくし付きヘアアイロンは、一対の棒状の支持部材を並列させ一端部を開閉可能に枢着させ枢着側に把持部を設けた挟持体と、前記挟持体の各支持部材の他端側に設けた電熱により加熱される巻胴部と、前記巻胴部の外周面に軸方向に所定の間隔をおいて配設された複数の熱不良導体からなるリング状のプロテクタと、前記巻胴部に前記巻胴部の中心軸に対して基部を並行させて突設された複数のくし歯とを備えてなることを特徴とする。
【０００８】
なお、この実施形態の各巻胴部の互いに対向する面は、平坦面に形成することが好ましく、この平坦面にさらに金属板を密着固定させるようにしてもよい。各巻胴部は、熱良導体のセラミックス製とし、断面円形又は楕円形製とすることが好ましい。
【発明の効果】
【０００９】
本発明によれば、使用者が熱い思いをしたり、火傷を負うようなことがなく、かつ操作性の良好なくし付きヘアアイロンを提供することができる。
【図面の簡単な説明】
【００１０】
【図１】ヘアアイロン１の斜視図。
【図２】ヘアアイロン１の一部断面図。
【図３】ヘアアイロン１の使用例。
【図４】ヘアアイロン２の斜視図。
【図５】ヘアアイロン２の一部断面図。
【図６】ヘアアイロン３の斜視図。
【図７】ヘアアイロン４の斜視図。
【図８】ヘアアイロン５の斜視図。
【図９】ヘアアイロン６の斜視図。
【図１０】ヘアアイロン７の斜視図。
【図１１】上側外面ヒートプレート３２２ａ及びくし状プロテクタ３３０ａの斜視図。
【図１２】ヘアアイロン７ａが備えるくし状プロテクタ３３０ｂを説明する斜視図。
【発明を実施するための形態】
【００１１】
［第１実施形態］
以下、実施の形態を図に基づき説明する。
以下、本発明の実施形態の一例を説明する。本実施形態のヘアアイロン１は、図１〜図２に示すように、本体１０、ヒートプレート２０、複数のヒートプロテクタ３０、一対の上及び一対の下くし部４０ａ，４０ｂ（図１においては、下くし部４０ｂについては図示しない。）から主に構成される。
（本体１０について）
本体１０は、断面略円形状または楕円形状に形成された棒状の支持部材である。本体１０の先端から基部に向かう長手方向の約半分の部位には、ヒートプレート２０及びこのヒートプレート２０の一部を被冠するように複数のヒートプロテクタ３０が周設される。
そして、本体１０の長手方向の残り半分の部位は、使用者によって把持される把持部１２として機能する。
【００１２】
本体１０内部には、電力の供給を受けて発熱する図示はしない発熱体（例えば、電熱線や金属プレート）が配設される。発熱体は、商用電原からの給電を可能とする本体１０の基部に設けられた電源コード１０ｃから供給される電力によって発熱する。発熱体は本体１０内部でヒートプレート２０と接触しており、発熱体が発熱することで、この熱がヒートプレート２０に伝わり、結果としてヒートプレート２０が発熱する。
【００１３】
把持部１２には、使用者によりＯｎ・Ｏｆｆ操作、毛髪にカールなどのクセをつける際の温度設定操作がなされるスイッチ部１０ｂが設けられる。
スイッチ部１０ｂは、発熱体と電源コード１０ｃとの間に電気的に介在される。スイッチ部１０ｂは、電子素子などで構成され、電源コード１０ｃから供給された電力の発熱体への供給量を増減させるための電気回路を備える。この電気回路によって発熱体への電力の供給量を増減させることで、ヒートプレート２０を使用者が望む温度まで上昇または下降させることができる。
ヒートプレート２０の発熱によって、放射された熱を使用者の毛髪に供給することで、この毛髪にカールなどのクセ付けを容易に施せる。
なお、本体１０内部に発熱体を設けず、電源コード１０ｃを介してヒートプレート２０に直接電力を供給して、ヒートプレート２０を直接発熱させるようにしてもよい。
【００１４】
（ヒートプレート２０について）。
図１においてヒートプレート２０に対応する部分には、図を見やすくするためにハッチングを付してある。ヒートプレート２０は、本体１０の端部に配設され、電熱により加熱される巻胴部として機能する。ヒートプレート２０は、高温で発熱するために熱良導体で形成されることが望ましい。例えば、ヒートプレート２０は、セラミックスや金属で形成される。
【００１５】
ヒートプレート２０は、本体１０の外周面に対応した曲面を有し、本体１０に接着材やねじ止めなどで密着して設けられる。具体的には、ヒートプレート２０は、本体１０の外周面に対応する曲面を有する矩形状の複数の金属プレートであったり、半円筒状の複数の金属プレートであったり、円筒状の金属プレートであったり、種々の形状を有していてよく、これらのうちのいずれか一つ、または複数を組み合わせて本体１０の外周面に合わせて貼合されたり、ねじ止めされたりする。そして、ヒートプレート２０は、全体として図２に示すように断面略円形状となるように配設される。なお、ヒートプレート２０は、本体１０の断面形状に対応して、断面略楕円形状に形成されることもある。
ヒートプレート２０には、一対の上及び一対の下くし部４０ａ，４０ｂが挿入されるための孔部２０ａが設けられる。
【００１６】
（複数のヒートプロテクタ３０について）
複数のヒートプロテクタ３０は、使用者が熱い思いをしたり、火傷を負ったりすることのないようにするための部材である。したがって、ヒートプロテクタ３０は、高温とならない熱不良導体で形成されることが望ましい。例えば、ヒートプロテクタ３０は、ポリエーテルサルフォン（ＰＥＳ）やポリエーテルエーテルケトン（ＰＥＥＫ）などの耐熱性のプラスチックで形成するとよい。
複数のヒートプロテクタ３０は、例えば金属などのプレートを芯部材として、この芯部材を耐熱性のプラスチックなどでコーティングして設けるようにしてもよい。このように金属のプレートを芯部材とすることで、ヒートプロテクタ３０の剛性を高められる。
複数のヒートプロテクタ３０は、ヒートプレート２０と使用者の肌との間に介在されるように、ヒートプレート２０の外周面上に、本体１０の中心軸（図１、２の符号Ａ参照）に直交するようにそれぞれ設けられる。
【００１７】
ヒートプロテクタ３０を、ヒートプレート２０表面上に設けることで、火傷防止とヒートプレート２０の放熱による毛髪への熱の供給とをバランスさせることができる。
【００１８】
（一対の上及び一対の下くし部４０ａ，４０ｂについて）
一対の上及び一対の下くし部４０ａ，４０ｂ（特に、図２参照）は、略同じ構成・機能を有しているのでここでは主に一対の上くし部４０ａについて説明する。
一対の上くし部４０ａは、ヒートプレート２０を配設した本体１０の巻胴部から、本体１０の中心軸に対して基部を並行させて突設される。
詳細には、一対の上くし部４０ａは、それぞれ複数のピン体４１ａ，４２ａから構成されており、この複数のピン体４１ａ，４２ａの基部が本体１０の中心軸と並行するように、それぞれ直線状に配列されて本体１０の側面に設けられる。ピン体４２ａは、ピン体４１ａが設けられた本体１０の側面の反対側の側面に設けられる。
【００１９】
複数のピン体４１ａ，４２ａは、その先端部が、孔部２０ａを介して、複数のヒートプロテクタ３０同士の間からそれぞれ本体１０の中心軸に直交するように突設される。
ピン体４１ａ，４２ａは、ヒートプロテクタ３０と同様に耐熱性のプラスチックで形成された熱不良導体であることが望ましい。ただし、ピン体４１ａ，４２ａは、例えばピン状の金属などを芯部材として、この芯部材を熱不良導体でコーティングして形成するようにしてもよい。
ピン体４１ａ，４２ａをヒートプロテクタ３０と一体的に形成するようにしてもよい。すなわち、ピン体４１ａ，４２ａをヒートプロテクタ３０から突設するように設けてもよい。この場合には、ヒートプレート２０に孔部２０ａを設けなくともよい。このように、ピン体４１ａ，４２ａをヒートプロテクタ３０と一体的に形成することで、製造工程の削減や、コストの削減を図れる。
【００２０】
ピン体４１ａ，４２ａは、使用者の毛髪の流れを整えながらヒートプレート２０近傍にこの毛髪を誘導するためのガイドとして機能する。ピン体４１ａ，４２ａによって毛髪の流れが整えられることで、ヒートプレート２０からの熱が毛髪に均等に供給されやすくなり、この結果カールなどのクセ付けを容易にかつ迅速に行えるようになる。
下くし部４０ｂは、上くし部４０ａを構成する複数のピン体４１ａ，４２ａと対応するピン体４１ｂ，４２ｂから構成されている。
【００２１】
（使用方法）
次に図３を用いて、以上のように構成されたヘアアイロン１の使用方法について説明する。ここでは使用者をロングヘアーの女性とする。そして使用者が、ヘアアイロン１を使用して自身の毛髪に対してカールのクセ付けを行う場合を想定する。
まず使用者が、スイッチ部１０ｂを操作してヒートプレート２０の発熱温度を設定（選択）する。ヘアアイロン１では、この発熱温度の設定と発熱のＯｎ動作とを一緒に行えるものとする。すなわち、発熱温度を設定した瞬間から、本体１０内の発熱部への電力の供給が開始され、結果としてヒートプレート２０が設定された温度の熱を持つ。
【００２２】
ここで使用者が、ヒートプレート２０の一部を自身の毛髪に当接させ、図３に示す矢印の方向にヘアアイロン１を回転させながら、髪の長手方向に向かってヘアアイロン１を下ろしていく。
このとき、上及び下くし部４０ａ，４０ｂによって毛髪の流れが整えられながら、この毛髪がヒートプレート２０の外周面近傍に沿うようにガイドされる。この結果、毛髪にヒートプレート２０の熱を均一に与えることができる。そして、ヒートプレート２０の外周面が断面略円形となっていることから、この形状と熱の供給とにとって髪を容易にカールさせられる。
【００２３】
このクセ付けの際には、ヒートプロテクタ３０によって使用者の肌とヒートプレート２０との接触が防止されるので使用者が熱い思いをしたり、火傷を負うことを防止できる。ヘアアイロン１では、ヒートプロテクタ３０によって使用者の肌を熱から保護できるため、従来のヘアアイロンよりもヒートプレート２０を高温で発熱させることができる。
以上、要するに、ヘアアイロン１を用いれば、クセ付けの際に使用者が熱い思いをしたり、火傷を負うようなことを防止でき、かつ良好な操作性を得られる。
【００２４】
［第２実施形態］
次に本発明の第２実施形態について説明する。なお、以下の説明では、第１実施形態のヘアアイロン１と同様の箇所には同一の符号を付け、詳細な説明は省略する。
第２実施形態のヘアアイロン２は、図４、図５に示すように、本体２１０、上側及び下側内面ヒートプレート２２１ａ，２２１ｂ、上側及び下側外面ヒートプレート２２２ａ，２２２ｂ、複数の上面及び下面ヒートプロテクタ２３０ａ，２３０ｂ、上及び下くし部４０ａ，４０ｂから主に構成される。
（本体２１０について）
本体２１０は、回動連結部２１０ａを介して略Ｖ字状に拡開可能にそれぞれ連結された上側及び下側アーム部２１１ａ，２１１ｂから構成された挟持体である。
上側及び下側アーム部２１１ａ，２１１ｂは、回動連結部２１０ａ内に配置された図示はしないコイルスプリング及びストッパーによって互いに拡開するように通常は付勢され、かつ必要以上に拡開しないように拡開方向への回動が規制されている。
【００２５】
上側及び下側アーム部２１１ａ，２１１ｂは、断面半円形状または断面半楕円形状の柱状の部材であり、回動連結部２１０ａ側の一端部に使用者によって握持される上側及び下側把持部２１２ａ，２１２ｂを備える。
上側及び下側アーム部２１１ａ，２１１ｂは、使用者が手のひらに力を込めて握り動作を行うことで回動連結部２１０ａを介して相対的に回動する。
詳細には、使用者が上側把持部２１２ａを手のひらで包むように持ち、指先を下側把持部２１２ｂの下面から側面にかけて引っかけるように持った状態で握り動作を行うことで、上側及び下側アーム部２１１ａ，２１１ｂが回動連結部２１０ａを起点として相対的に回動する（図４中の矢印を参照）。
上側及び下側アーム部２１１ａ，２１１ｂを相対的に回動させることにより、上側及び下側アーム部２１１ａ，２１１ｂのそれぞれの先端側同士を近接させたり離間させたりできる（以下、それぞれの先端側を上側先端側２１３ａ，下側先端側２１３ｂと称す。）。すなわち、上側先端側２１３ａ，下側先端側２１３ｂ同士を閉じたり開いたりできる。
【００２６】
上側及び下側先端側２１３ａ、２１３ｂの互いに対向する内側の平坦な一面には、使用者の毛髪を挟持する挟持面Ｐを備える上側及び下側内面ヒートプレート２２１ａ，２２１ｂがそれぞれ設けられる。この挟持面Ｐで使用者の毛髪を狭持することによって毛髪に熱を供給する。
上側及び下側内面ヒートプレート２２１ａ，２２１ｂが設けられた一面と端部を共有し、かつこの一面の裏面である所定の曲率を持って形成された外周面には、上側及び下側外面ヒートプレート２２２ａ，２２２ｂがそれぞれ設けられる。
上側アーム部２１１ａには、使用者によりＯｎ・Ｏｆｆ操作、毛髪にカールなどのクセ付けを行う際の温度設定操作などがなされるスイッチ部１０ｂが配置される。
【００２７】
（上側及び下側内面ヒートプレート２２１ａ，２２１ｂについて）
上側及び下側内面ヒートプレート２２１ａ，２２１ｂは、熱良導体に優れた板状の部材であり、例えば矩形状に形成されたセラミックスや金属のプレートである。上側及び下側内面ヒートプレート２２１ａ，２２１ｂの一部は、筺体内に配置され、電源コード１０ｃを介して供給された電力によって発熱する発熱部（図示せず）と筺体内で接続されている。このため、上側及び下側内面ヒートプレート２２１ａ，２２１ｂには発熱部の熱が伝わる。
上側及び下側内面ヒートプレート２２１ａ，２２１ｂは、上側及び下側アーム部２１１ａ，２１１ｂを閉じるように回動させた際には、それぞれの挟持面Ｐが密着する。この結果、使用者の髪を狭持することができる。そして、上側及び下側内面ヒートプレート２２１ａ，２２１ｂが熱せられた状態で使用者の毛髪を挟持し、毛髪の長手方向（例えば、下方向）に向かってこの毛髪を引っ張ることで、いわゆる矯正と呼ばれ、毛髪にストレート状のクセ付けを施す処理を行える。
【００２８】
（上側及び下側外面ヒートプレート２２２ａ，２２２ｂについて）。
図４において上側及び下側外面ヒートプレート２２２ａ，２２２ｂに対応する部分には、図を見やすくするためにハッチングを付してある。
上側及び下側外面ヒートプレート２２２ａ，２２２ｂは、上側及び下側内面ヒートプレート２２１ａ，２２１ｂと同様に熱良導体で形成される。
上側及び下側外面ヒートプレート２２２ａ，２２２ｂは、上側及び下側アーム部２１１ａ，２１１ｂそれぞれの端部に配設され、電熱により加熱される巻胴部として機能する。上側及び下側外面ヒートプレート２２２ａ，２２２ｂは、高温で発熱するために熱良導体で形成されることが望ましい。例えば、上側及び下側外面ヒートプレート２２２ａ，２２２ｂは、セラミックスや金属で形成される。
【００２９】
上側及び下側外面ヒートプレート２２２ａ，２２２ｂは、上側及び下側先端側２１３ａ、２１３ｂの外周面に対応した曲面を有し、上側及び下側先端側２１３ａ、２１３ｂに接着材やねじ止めなどで密着して設けられる。具体的には、上側及び下側外面ヒートプレート２２２ａ，２２２ｂは、上側及び下側先端側２１３ａ、２１３ｂの外周面に対応する曲面を有する矩形状の複数の金属プレートであったり、半円筒状の複数の金属プレートであったり、種々の形状を有していてよく、上側及び下側先端側２１３ａ、２１３ｂの外周面に合わせて貼合されたり、ねじ止めされたりする。そして、上側及び下側外面ヒートプレート２２２ａ，２２２ｂは、上側及び下側アーム部２１１ａ，２１１ｂが閉じられて接した際には、全体として図５に示すように断面略円形状となるように設置される。
なお、上側及び下側外面ヒートプレート２２２ａ，２２２ｂは、上側及び下側アーム部２１１ａ，２１１ｂの断面形状に対応して、断面略楕円形状に形成されることもある。
上側及び下側外面ヒートプレート２２２ａ，２２２ｂには、一対の上及び一対の下くし部４０ａ，４０ｂが挿入されるための孔部２２３ａ、２２３ｂがそれぞれ設けられる。
【００３０】
上側及び下側外面ヒートプレート２２２ａ，２２２ｂは、上側及び下側内面ヒートプレート２２１ａ，２２１ｂと同様に筺体内に配置された発熱部（図示せず）と接触している。したがって、発熱体が発熱することで、この熱が上側及び下側外面ヒートプレート２２２ａ，２２２ｂに伝わり、結果として上側及び下側外面ヒートプレート２２２ａ，２２２ｂが発熱する。
【００３１】
（複数の上面及び下面ヒートプロテクタ２３０ａ，２３０ｂについて）
複数の上面及び下面ヒートプロテクタ２３０ａ，２３０ｂは、使用者が熱い思いをしたり、火傷を負ったりすることのないようにするための部材である。したがって、上面及び下面ヒートプロテクタ２３０ａ，２３０ｂは、高温とならない熱不良導体で形成されることが望ましい。例えば、上面及び下面ヒートプロテクタ２３０ａ，２３０ｂは、ポリエーテルサルフォン（ＰＥＳ）やポリエーテルエーテルケトン（ＰＥＥＫ）などの耐熱性のプラスチックで形成するとよい。
複数の上面及び下面ヒートプロテクタ２３０ａ，２３０ｂは、上側及び下側外面ヒートプレート２２２ａ，２２２ｂと使用者の肌との間に介在されるように、上側及び下側外面ヒートプレート２２２ａ，２２２ｂそれぞれの外周面上に、上側及び下側アーム部２１１ａ，２１１ｂの中心軸（図４，５の符号Ａ１、Ａ２参照）に対して直交するように設けられる。
【００３２】
複数の上面及び下面ヒートプロテクタ２３０ａ，２３０ｂを、それぞれ上側及び下側外面ヒートプレート２２２ａ，２２２ｂ表面上に設けることで、火傷防止と上側及び下側外面ヒートプレート２２２ａ，２２２ｂの放熱による毛髪への熱の供給とをバランスさせることができる。
【００３３】
（使用方法）
以上のように構成されたヘアアイロン２では、まず使用者が、スイッチ部１０ｂを操作して上側及び下側内面ヒートプレート２２１ａ，２２１ｂ並びに上側及び下側外面ヒートプレート２２２ａ，２２２ｂの発熱温度を設定（選択）する。ヘアアイロン２では、この発熱温度の設定と発熱のＯｎ動作とを一緒に行えるものとする。すなわち、発熱温度を設定した瞬間から、本体２１０内の発熱部への電力の供給が開始され、この結果、上側及び下側内面ヒートプレート２２１ａ，２２１ｂ並びに上側及び下側外面ヒートプレート２２２ａ，２２２ｂが熱を持つ。
なお、このときヘアアイロン２には、スイッチ部１０ｂの操作により上側及び下側外面ヒートプレート２２２ａ，２２２ｂのみ発熱させ、上側及び下側内面ヒートプレート２２１ａ，２２１ｂは発熱させないような機能を備えさせてもよい。これとは逆に、ヘアアイロン２には、上側及び下側内面ヒートプレート２２１ａ，２２１ｂのみ発熱させ、上側及び下側外面ヒートプレート２２２ａ，２２２ｂは発熱させないような機能を備えさせてもよい。
【００３４】
使用者によるスイッチ部１０ｂのＯｎ操作からしばらくすると、上側及び下側外面ヒートプレート２２２ａ，２２２ｂ及び上側及び下側内面ヒートプレート２２１ａ，２２１ｂが、使用者が設定した温度で発熱する。
使用者が上側及び下側把持部２１２ａ，２１２ｂを握り動作を行うことで回動連結部２１０ａを介して相対的に上側及び下側アーム部２１１ａ，２１１ｂが回動し、上側及び下側アーム部２１１ａ，２１１ｂの先端部同士が近接する。この結果、図４に示したように上側及び下側内面ヒートプレート２２１ａ，２２１ｂの狭持面Ｐが密着し、上側及び下側外面ヒートプレート２２２ａ，２２２ｂを合わせた外周面の断面が全体として略円形状となる。すなわちヘアアイロン２全体として略円柱形状となる。
【００３５】
この状態のときに使用者が上側及び下側外面ヒートプレート２２２ａ，２２２ｂの一部を自身の毛髪に当接させ、図３に示す矢印の方向にヘアアイロン２を回転させながら、髪の長手方向に向かってヘアアイロン２を下ろしていくことで、使用者の毛髪をカールさせられる。
このとき、上及び下くし部４０ａ，４０ｂによって毛髪の流れが整えられながら上側及び下側外面ヒートプレート２２２ａ，２２２ｂ近傍にガイドされる。この結果、上側及び下側外面ヒートプレート２２２ａ，２２２ｂの熱を均一に毛髪に与えられ、少ない動作でも容易に毛髪にクセが付けられる。
そして、このクセ付けの際には、上面及び下面ヒートプロテクタ２３０ａ，２３０ｂによって使用者の肌と上側及び下側外面ヒートプレート２２２ａ，２２２ｂとの接触が防止されるので使用者が熱い思いをしたり、火傷を負うことを防止できる。
要するにヘアアイロン２を用いれば、クセ付けの際に使用者が熱い思いをしたり、火傷を負うようなことを防止でき、かつ良好な操作性を得られる。
【００３６】
以上、本発明の第１、２実施形態にかかるヘアアイロン１、２について説明したが、本発明は以上の実施の形態にのみ限定されるものではなく、その要旨を逸脱しない範囲で種々変形が可能である。
［変形例１］
例えば、図６に示すヘアアイロン３のように、上及び下くし部４０ａ，４０ｂに直交する方向に設けられる上及び下くし部４０ｃ，４０ｄをさらに備えるようにしてもよい。このように上及び下くし部４０ａ，４０ｂ，４０ｃ，４０ｄを配置させることで、使用者の毛髪により均一に上側及び下側外面ヒートプレート２２２ａ，２２２ｂの熱を供給することができる。またこれら上及び下くし部４０ａ，４０ｂ，４０ｃ，４０ｄのうちのいずれかのくし部を備えない構成としてもよい。
［変形例２］
また、上及び下くし部４０ａ，４０ｂをピン体４１ａ，４２ａで構成したが、コイル状の熱不良導体を本体１０または本体２１０の中心軸方向に並行になるようにヒートプレート２０または上側及び下側外面ヒートプレート２２２ａ，２２２ｂの側面に配置して、このコイル状の熱不良導体を用いてヒートプレート２０または上側及び下側外面ヒートプレート２２２ａ，２２２ｂに使用者の毛髪をガイドさせるようにしてもよい。
【００３７】
［変形例３］
さらに、図７に示すヘアアイロン４のように、マイナスイオンなどを生成して毛髪をトリートメントするような機能を第１実施形態（図１など参照）で説明したヘアアイロン１が備えるようにしてもよい。
詳細には、図７に示すように把持部１２の所定の箇所（ここではヒートプレート２０の近傍）に把持部１２内部まで延設される所定の大きさの開口１２ａを設ける。さらに把持部１２内部には、一対の放電電極５０をそれぞれ対向させて設けるとともに、この一対の放電電極５０に高電圧を印加するための高電圧発生装置５１を配置する。
一対の放電電極５０は、それぞれ少なくとも放電される一端部が開口１２ａの壁面から露出するように設けられる。
【００３８】
高電圧発生装置５１は、昇圧回路などで構成される。高電圧発生装置５１は、電源コード１０ｃを介して電力を供給され、この供給された電力に基づいて昇圧を行い、一対の放電電極５０に印加する。高電圧発生装置５１はスイッチ部１０ｂによって放電電極５０への電圧の印加のＯｎ・Ｏｆｆを制御される。電圧が印加された放電電極５０を使用者が指で触って怪我をしないように、メッシュ状のカバー５２で開口１２ａを覆うことが望ましい。
【００３９】
以上のような構成により、高電圧を印加された放電電極５０によって開口１２ａ内の空気中の原子や分子が電子を得てマイナスに帯電し、所謂マイナスイオンが生成された状態になる。この生成されたマイナスイオンは、カバー５２の間隙から放出され、開口１２ａ近傍の毛髪に対してツヤやハリを与えるトリートメント効果を期待できる。
詳細には、マイナスイオン生成の際には空気中の水分が微細化されることがあり、この微細化された水分は、効果的に毛髪に浸透及び吸収される。この際、保湿効果とミネラルイオンの働きで、毛髪の代謝機能が促進するとともに、上記マイナスイオンと結合した水分が、例えば静電気等で傷んだキューティクルを再生修復することで、髪にハリ、ツヤを与え、指通りのよい、まとまりのある髪へと導く効果を期待できる。
【００４０】
なお、ここでは開口１２ａの壁面から一端部が露出するように一対の放電電極５０を配置することを説明したが、この放電電極５０に替えて、円柱状に形成された放電管（オゾン管）を、この放電管の表面が把持部１２外部に露出するように開口１２ａ内に配置しても良い。この放電管は、例えば石英ガラス製の管内に低圧水銀蒸気を封入したものである。
放電管に高電圧発生装置５１が発生させた高電圧を印加すると、放電管の外部へ紫外線が放出される。この紫外線の作用により放電管の近傍にオゾン（Ｏ３）が生成される。この生成されたオゾンは、カバー５２の間隙から放出され、開口１２ａ近傍の毛髪に対してツヤやハリを与えるトリートメント効果を期待できる。
【００４１】
ここで生成されるオゾンの濃度は、０．１ｐｐｍ未満であることが望ましい。また、フケ、かゆみ、悪臭の原因となる雑菌を除去する消臭、殺菌効果を考慮した場合、例えば０．００４ｐｐｍ〜０．０６ｐｐｍ程度であることが望ましい。また、頭皮や頭髪への好適な美容効果を得ようする場合には、例えば０．０６ｐｐｍ〜０．０９ｐｐｍ程度の濃度でオゾンが生成されることが好ましい。
上記オゾンの生成と同時に、放電管から放出される紫外線が空気中を通過する時にマイナスイオンが生成されることもあり、この場合には上記したオゾン及びマイナスイオンによる、より高いトリートメント効果が期待できる。
【００４２】
［変形例４］
さらなる変形例として、図８に示すヘアアイロン５のように、上記変形例３（図７参照）で説明した開口１２ａ、放電電極５０、高電圧発生装置５１などを第２実施形態（図４参照）で説明したヘアアイロン２に設けるようにしても良い。
この場合には、開口１２ａ、放電電極５０などを上側及びまたは下側アーム部２１１ａ，２１１ｂに設けることができる。もちろん、ヘアアイロン５においても放電電極５０に変えて円柱状に形成された放電管（オゾン管）を設けてもよい。
【００４３】
［その他の変形例］
本発明は、さらに種々の変形が可能である。例えば、図９に示すヘアアイロン６のように、上記変形例４（図８参照）で説明した開口１２ａ、放電電極５０などを上側アーム部２１１ａ及びまたは下側アーム部２１１ｂにおける下側内面ヒートプレート２２１ａ及びまたは上側内面ヒートプレート２２１ｂの設置箇所に対応する箇所に設けてもよい。この場合には、下側内面ヒートプレート２２１ａ及びまたは上側内面ヒートプレート２２１ｂには、開口１２ａと同様の形状の開口１２ｂを設け、この開口１２ｂを介して開口１２ａが外部に露出する構成とすることが望ましい。
このように、開口１２ａ、１２ｂ、放電電極５０などを設けることにより、狭持面Ｐにて毛髪を挟みつつ、この毛髪に対してトリートメント処理を施すことが可能になる。
【００４４】
本発明は、さらに例えば、生成されたマイナスイオンやオゾンが頭髪や頭皮に効率良く供給（移送）されるように、ファン等の送風機構を所定の箇所に設けるようにしてもよい。また例えば、上記した各変形例の内容をそれぞれ適宜組み合わせてよい。
【００４５】
［第３実施形態］
次に本発明の第３実施形態について説明する。なお、以下の説明では第１実施形態のヘアアイロン１または第２実施形態のヘアアイロン２と対応する箇所については同一の符号を付け、詳細な説明は省略する。
図１０及び図１１に示すように、第３実施形態のヘアアイロン７は、第２実施形態のヘアアイロン２（図４参照）が備える上側及び下側外面ヒートプレート２２２ａ，２２２ｂに対応する上側及び下側外面ヒートプレート３２２ａ，３２２ｂを備える。さらにヘアアイロン７は、ヘアアイロン２が備える上面及び下面ヒートプロテクタ２３０ａ，２３０ｂ、上及び下くし部４０ａ，４０ｂの機能を併せ持つ複数のくし状プロテクタ３３０ａ，３３０ｂを備える。
【００４６】
（上側外面ヒートプレート３２２ａの詳細説明）
図１１を用いて上側外面ヒートプレート３２２ａについて詳細に説明する。下側外面ヒートプレート３２２ｂについては、上側外面ヒートプレート３２２ａと同様の構成及び機能を有するので、ここでは詳細な説明を省略する。
上側ヒートプレート３２２ａは、上側先端側２１３ａの外周面に対応しており、図１１に示すように、半円筒形状に形成されている。上側ヒートプレート３２２ａは、接着材やねじ止めなどによって、上側先端側２１３ａと密着して設けられる。
上側外面ヒートプレート３２２ａの表面には、上側外面ヒートプレート３２２ａの周方向に沿って、複数のくし部設置部３２４と複数の突部３２５が交互に設けられる。ここでは一例として上側外面ヒートプレート３２２ａの表面には合計６本のくし部設置部３２４が設けられている。
【００４７】
くし部設置部３２４は、上側外面ヒートプレート３２２ａの長手方向（即ち、図１０に示した軸Ａ１に沿う方向）に沿って設けられた溝である。くし部設置部３２４には、それぞれ、くし状プロテクタ３３０ａが挿入される。
突部３２５は、基部３２５ａから上側外面ヒートプレート３２２ａの周方向に沿う方向に、くし部設置部３２４の空間中に僅かに突出する爪部３２５ｂを備える。
互いに対向する爪部３２５ｂによって、くし部設置部３２４に装着された、くし状プロテクタ３３０ａが安定的に保持され、くし状プロテクタ３３０ａの脱落が防止される。
【００４８】
（くし状プロテクタ３３０ａについて）
次に、同様に図１１を参照して、くし状プロテクタ３３０ａについて詳細に説明する。くし状プロテクタ３３０ｂについては、くし状プロテクタ３３０ａと同様の構成及び機能を有するので、ここでは詳細な説明を省略する。
くし状プロテクタ３３０ａは、くし部設置部３２４と対応する形状の基部３３２と、この基部３３２から突設された複数のピン体３３３を有する。
基部３３２は、第１実施形態のヘアアイロン１が備えるヒートプロテクタ３０や第２実施形態のヘアアイロン２が備える上面及び下面ヒートプロテクタ２３０ａ，２３０ｂと同様の熱不良導体である。基部３３２は、上側外面ヒートプレート３２２ａの長手方向に沿う略直方体形状の板状の部材である。
【００４９】
基部３３２は、基部３３２の底面から延長された底面部を有し基部３３２の側面から突設された爪受け部３３２ａを備える。爪受け部３３２ａは、基部３３２の側面において、底面からの高さが基部３３２の側面の半分程度であることが望ましい。
爪受け部３３２ａが、爪部３２５ｂと係合することによって、くし状プロテクタ３３０ａが、くし部設置部３２４から脱落することが防止される。
ピン体３３３は、第１実施形態のヘアアイロン１が備えるピン体４１ａ，４２ａに対応する熱不良導体である。
ピン体３３３は、基部３３２と一体的に設けられる。ピン体３３３は、それぞれ基部３３２の長手方向に沿って所定の間隔をあけて配列されて設けられる。個々のピン体３３３は、基部３３２の上面から基部３３２の長手方向に直交する方向に突設される。
【００５０】
以上がヘアアイロン７の構成の説明である。上記したようにヘアアイロン７が備える上側及び下側外面ヒートプレート３２２ａ，３２２ｂには、くし部設置部３２４と突部３２５が交互に設けられる。そして、くし部設置部３２４に、くし状プロテクタ３３０ａ，３３０ｂがそれぞれ挿入される。結果として、上側及び下側外面ヒートプレート３２２ａ，３２２ｂにおいて、くし状プロテクタ３３０ａと突部３２５とが周方向に交互に配列されることになる（図１０参照）。このような構成を備えるヘアアイロン７を頭皮に近づけた場合、くし状プロテクタ３３０ａが頭皮にあたるので、頭皮と上側及び下側外面ヒートプレート３２２ａ，３２２ｂとが接触してしまうことを防止することができる。したがって、使用者が熱い思いをしたり、火傷を負ったりすることを防止することができる。なおかつ、ヘアアイロン７によれば、くし状プロテクタ３３０ａ，３３０ｂの間から放射的又は直接的に供給される上側及び下側外面ヒートプレート３２２ａ，３２２ｂの熱を使用者の頭髪に安全に供給することができる。
【００５１】
［ヘアアイロン７の変形例］
以上、本発明の第３実施形態のヘアアイロン７について説明したが、ヘアアイロン７についても適宜変更が可能である。
例えば、図１２に示すヘアアイロン７ａのように、ピン体３３３が形成されず、基部３３２のみを備えるくし状プロテクタ３３０ｂを有する構成としてもよい。また、図１０において、くし状プロテクタ３３０ａと突部３２５は周面方向に面一に設けられているが、くし状プロテクタ３３０ａのピン体３３３が突設された上面部が、突部３２５よりも凸となるように構成することもできる。この場合、突部３２５とくし状プロテクタ３３０ａとの間で段差ができる。結果として、くし状プロテクタ３３０ａによって火傷を防止できるという効果をさらに得やすくなる。
［さらなる変形例］
本発明は、さらに適宜変形が可能である、例えば上記の各実施例や変形例をそれぞれ適宜組み合わせてもよい。例えば第１実施形態のヘアアイロン１（図１参照）が備えるヒートプレート２０、ヒートプロテクタ３０、上及び下くし部４０ａ，４０ｂに換えて、このヘアアイロン１が備える本体１０に第３実施形態のヘアアイロン７（図９参照）が備える、上側及び下側外面ヒートプレート３２２ａ，３２２ｂ、くし状プロテクタ３３０ａ，３３０ｂを設けるようにしてもよい。このとき、上側及び下側外面ヒートプレート３２２ａ，３２２ｂをリング状に一体形成してもよい。
【符号の説明】
【００５２】
１，２，３，４，５，６，７，７ａ…ヘアアイロン、１０，２１０…本体、１０ｂ…スイッチ部、１０ｃ…電源コード、１２…把持部、１２ａ，１２ｂ…開口、２０…ヒートプレート、２０ａ，２２３ａ，２２３ｂ…孔部、３０…ヒートプロテクタ、４０ａ…上くし部、４０ｂ…下くし部、４１ａ…ピン体、４１ｂ…ピン体、４２ａ…ピン体、４２ｂ…ピン体、５０…放電電極、５１…高電圧発生装置、５２…カバー、２１０ａ…回動連結部、２１１ａ…上側アーム部、２１１ｂ…下側アーム部、２１２ａ…上側把持部、２１２ｂ…下側把持部、２１３ａ…上側先端側、２１３ｂ…下側先端側、２２１ａ…下側内面ヒートプレート、２２２ａ，３２２ａ…上側外面ヒートプレート、２２２ｂ，３２２ｂ…下側外面ヒートプレート、２３０ａ…上面ヒートプロテクタ、２３０ｂ…下面ヒートプロテクタ、３２４…くし部設置部、３２５…突部、３３０ａ…くし状プロテクタ、３３２…基部。
【図１】
2014061404.tif 000003
【図２】
2014061404.tif 000004
【図３】
2014061404.tif 000005
【図４】
2014061404.tif 000006
【図５】
2014061404.tif 000007
【図６】
2014061404.tif 000008
【図７】
2014061404.tif 000009
【図８】
2014061404.tif 000010
【図９】
2014061404.tif 000011
【図１０】
2014061404.tif 000012
【図１１】
2014061404.tif 000013
【図１２】
2014061404.tif 000014